【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
塞栓コイル展開システムであり、
内腔と、この内腔内に配置された第１のフィラメントと、この第１のフィラメント上の少なくとも一つの係合要素とを有するシャフトを含むインプラント・ツールと、
コイルと、
このコイルを通じて延伸する第２のフィラメントとを含むインプラントであり、前記第２のフィラメントは、前記コイルへ結合された末端と、前記シャフトの前記内腔内に配置された保持要素を含む基端とを含み、前記保持要素は、前記係合要素及び前記内腔の側壁により、拘束位置に接触して解放可能に拘束されるように位置するインプラントとを備えるシステム。
【請求項２】
請求項１のシステムにおいて、前記係合要素は前記第１のフィラメント上で一対の幅広い要素を含み、前記インプラントの前記保持要素は、前記幅広い要素と前記内腔の前記側壁との間に解除可能に拘束されるシステム。
【請求項３】
請求項１のシステムにおいて、カテーテルを更に含み、前記インプラント・ツール及びインプラントは、前記カテーテル内に配置可能であるシステム。
【請求項４】
請求項１のシステムにおいて、前記第２のフィラメントは耐伸長ワイヤであるシステム。
【請求項５】
請求項１のシステムにおいて、前記第１のフィラメント及びシャフトは、前記第１のフィラメントの末端が前記シャフト内に位置する第１の位置と、前記第１のフィラメントの末端が、前記拘束位置から前記保持要素を解放するのに充分な量だけ、前記内腔から末端へ延出する第２の位置との間で相対移動するシステム。
【請求項６】
請求項１のシステムにおいて、前記第２のフィラメントは張力をかけられ、前記拘束位置からの前記保持要素の解放が、前記保持要素を前記インプラントの基端に接触するように収縮させるシステム。
【請求項７】
請求項６のシステムにおいて、前記インプラントが前記コイルの基端上に停止部を含み、前記拘束位置からの前記保持要素の解放が、前記保持要素を前記停止部に接触するように収縮させるシステム。
【請求項８】
塞栓コイル展開システムは、
内腔と、側壁と、少なくとも一つのフルカラムと、前記内腔内に配置された第１のフィラメントとを有するシャフトを含むインプラント・ツールと、
コイルと、
このコイルを通じて延伸する第２のフィラメントとを含むインプラントであり、前記第２のフィラメントは、前記コイルへ結合された末端と、前記シャフトの前記内腔内に配置された保持要素を含む基端とを含み、前記保持要素は、前記第１のフィラメント及び前記フルカラムにより前記内腔内に接触して解 放可能に拘束されるように位置するインプラントとを備えるシステム。
【請求項９】
請求項１のシステムにおいて、前記フルカラムは、前記第１のフィラメントを解放可能に収容する少なくとも一つのアパーチュアを含むシステム。
【請求項１０】
請求項１のシステムにおいて、前記第１のフィラメントは、前記第１のフィラメントが前記フルカラムに係合する第１の位置と、前記第２のフィラメントは、前記第１のフィラメントが前記フルカラムから係合解除する第２の位置とから移動可能であるシステム。
【請求項１１】
請求項１０のシステムにおいて、前記第１の位置にあるときは、前記フルカラムは前記内腔内の前記保持要素を解放可能に保持し、前記第２の位置にあるときは、前記フルカラムは前記内腔内の前記保持要素を保持しないシステム。 
【請求項１２】
請求項１のシステムにおいて、前記フルカラムは、前記第１のフィラメントを解放可能に収容する第１及び第２のアパーチュアを含み、前記第１のフィラメント は、この第１のフィラメントが前記フルカラムを前記内腔内に末端側へ前記保持要素へ押し下げることにより、前記保持要素を前記内腔内へ前記保持要素を保持する第１の位置と、前記第１のフィラメントが基端方向へ収縮して前記フルカラムを解放することにより、前記保持要素を前記内腔から解放する第２の位置とか ら移動可能であるシステム。
【請求項１３】
請求項１のシステムにおいて、前記フルカラムは前記インプラント・ツールの前記側壁に形成されているシステム。
【請求項１４】
塞栓コイル展開システムであり、
内腔と、側壁と、少なくとも一つの付勢要素と、前記内腔内に配置された第１のフィラメントとを有するシャフトを含むインプラント・ツールと、
コイルと、このコイルを通じて延伸する第２のフィラメントとを含むインプラントであり、前記第２のフィラメントは、前記コイルへ結合された末端と、前記シャフトの前記内腔内に配置された保持要素を含む基端とを含み、前記保持要素は、前記第１のフィラメント、前記付勢要素及び側壁により前記内腔内に接触して解放可能に拘束されるように位置するインプラントとを備えるシステム。
【請求項１５】
請求項１４のシステムにおいて、前記付勢要素は前記側壁に形成されたシステム。
【請求項１６】
請求項１４のシステムにおいて、前記側壁はアパーチュアを更に含むシステム。
【請求項１７】
請求項１６のシステムにおいて、前記付勢要素は部分的に前記アパーチュア内に置かれているシステム。
【請求項１８】
請求項１６のシステムにおいて、前記付勢要素は前記アパーチュアにより部分的に包囲されているシステム。
【請求項１９】
請求項１６のシステムにおいて、前記側壁及び前記アパーチュアは肩部を規定し、前記第１のフィラメント及び前記肩部は、前記保持要素の前記内腔の前記末端からの抜け出しを防止するシステム。
【請求項２０】
請求項１４のシステムにおいて、前記第１のフィラメントは、この第１のフィラメント、前記側壁及び前記付勢要素は前記保持要素を前記内腔内に解放可能に保持する第１の位置と、前記保持要素が前記内腔内に保持されない第２の位置との間で相対移動可能であるシステム。
【請求項２１】
請求項２０のシステムにおいて、前記第１のフィラメントが前記第１の位置にあるとき、前記保持要素は前記付勢要素に抗して付勢され、且つ前記保持要素は少なくとも部分的に前記アパーチュアへ入るシステム。
【請求項２２】
請求項２０のシステムにおいて、前記第１のフィラメントは、前記第１の位置及び前記第２の位置から基端へ収縮にあるとき、前記付勢要素は、前記保持要素を前記内腔から出るように偏倚させるシステム。
【請求項２３】
請求項１４のシステムにおいて、前記第１のフィラメントは、前記内腔内を軸方向に移動可能であり、前記インプラント・ツールは、前記内腔内の前記第１のフィラメントの位置を解放可能に整合させる整合特徴を更に含むシステム。
【請求項２４】
請求項１４のシステムにおいて、前記保持要素が前記内腔内に解放可能に保持されて、前記保持要素が前記内腔内の移動の軸方向及び回転方向自由度を有するシステム。
【請求項２５】
塞栓コイル展開システムであり、
細長いコイルと、このコイル内に配置された第１のフィラメントとを含み、その第１のフィラメントの基端は保持要素で終端するインプラントと、
前記保持要素を受け入れる開口末端を有する中空シャフトであり、この中空シャフトは、その末端に近接して且つ離間して、その側面に切り欠きを含み、且つ前記切り欠き内に配置された偏倚部材を更に含む中空シャフトと、
第２のフィラメントであり、前記保持要素と、前記切り欠きに対向する前記シャフトの側壁との間に、前記第２のフィラメントの末端が楔留めされる方式で、前記シャフト内に摺動自在に収容可能であり、前記第２のフィラメントの前記末端は前記保持要素を前記切り欠きの縁へ強制的に係合させて、前記保持要素の前記シャフトの前記末端からの抜けだしを防止し、前記第２のフィラメントと前記シャフトとの相対位置が調整されたときには、第２のフィラメントの前記末端がもはや前記保持要素上に支持されず、且つ前記偏倚部材が前記保持部材を前記切り欠きの前記縁からの係合解除を付助するようにされた第２のフィラメントとを備えるシステム。
【請求項２６】
請求項２５に記載のシステムにおいて、前記シャフトは前記シャフトの側壁に取り付けられて、前記シャフトの内部へ延伸する案内部材を更に含み、この案内部材は前記第２のフィラメントを受け入れるアパーチュアを含むシステム。
【請求項２７】
請求項２５に記載のシステムにおいて、前記保持要素が球形であるシステム。
【請求項２８】
請求項２５記載のシステムにおいて、前記第２のフィラメントが前記保持要素と前記側壁との間に楔留めされており、前記保持要素が前記偏倚部材を前記シャフトの中心から外側へ揺動させるように強制するシステム。